(57)【要約】【課題】既設配管の設置場所に立坑を掘ることなく移動型止水蓋を設置する。【解決手段】止水蓋本体１１とキャスタ１３とを有する移動型止水蓋１０を準備する。移動型止水蓋１０をキャスタ１３を介して差し込み側配管２内を移動させて設置場所Ａまでもってくる。設置場所Ａにおいて、移動型止水蓋１０に爪１５を取付け、この爪１５を受け側配管１と差し込み側配管２との間の隙間Ｂに係合させる。【選択図】図１
2019078010.tif 000002
【特許請求の範囲】
【請求項１】
受け部を有する受け側配管と、この受け側配管の受け部に差し込まれる差し込み側配管との間の設置場所に移動型止水蓋を設置する移動型止水蓋の設置方法において、
蓋本体と、この蓋本体に設けられたキャスタとを有する移動型止水蓋を準備する工程と、
前記移動型止水蓋を前記キャスタを介して前記受け側配管または前記差し込み側配管のいずれか一方から前記設置場所まで移動させる工程と、
前記設置場所において、前記蓋本体の外周に前記受け側配管と前記差し込み側配管との間に形成された隙間に係合する複数の爪を固定する工程と、
前記蓋本体の外周に外周シールを設けて、前記受け側配管と前記差し込み側配管の一方と前記蓋本体の外周とを密封する工程と、を備えたことを特徴とする移動型止水蓋の設置方法。
【請求項２】
前記蓋本体に作業者が通る開口が設けられ、この開口は蓋板により覆われることを特徴とする請求項１記載の移動型止水蓋の設置方法。
【請求項３】
前記外周シールはシール押えにより保持され、前記シール押えをボルト締めすることにより前記外周シールを押圧して外方へ拡げ、前記受け側配管または前記差し込み側配管の内周面に密着させることを特徴とする請求項１または２記載の移動型止水蓋の設置方法。
【発明の詳細な説明】
【技術分野】
【０００１】
本発明は立坑を掘ることなく、埋設された既設配管に移動型止水蓋を設置する移動型止水蓋の設置方法に関する。
【背景技術】
【０００２】
従来より埋設された水道管等の既設配管について交換工事あるいは補修工事をする場合、工事場所に立坑を掘り、この立坑に作業者が入って既設配管の交換工事あるいは補修工事をしている。
【０００３】
この場合、工事場所近傍の既設配管に設置されている既設バルブを閉じて、工事場所に水が入り込まないようにしている。
【０００４】
また工事場所と既設バルブとの間の既設配管に更に追加で仮栓を設置して既設バルブから水が漏洩した場合に備えている。
【０００５】
しかしながら、このような仮栓を既設配管に設置する場合、既設配管周囲に追加の立坑を掘り、この立坑を利用して仮栓を設置する必要があり、仮栓の設置工事が大がかりとなっている。また、他の埋設物が輻輳した場合、立坑が設置できないケースがある。
【発明の開示】
【発明が解決しようとする課題】
【０００６】
本発明はこのような点を考慮してなされたものであり、既設配管周囲に立坑を掘ることなく、既設配管の設置場所に容易に移動型止水蓋を設置することができる移動型止水蓋の設置方法を提供することを目的とする。
【課題を解決するための手段】
【０００７】
本発明は、受け部を有する受け側配管と、この受け側配管の受け部に差し込まれる差し込み側配管との間の設置場所に移動型止水蓋を設置する移動型止水蓋の設置方法において、蓋本体と、この蓋本体に設けられたキャスタとを有する移動型止水蓋を準備する工程と、前記移動型止水蓋を前記キャスタを介して前記受け側配管または前記差し込み側配管のいずれか一方から前記設置場所まで移動させる工程と、前記設置場所において、前記蓋本体の外周に前記受け側配管と前記差し込み側配管との間に形成された隙間に係合する複数の爪を固定する工程と、前記蓋本体の外周に外周シールを設けて、前記受け側配管と前記差し込み側配管の一方と前記蓋本体の外周とを密封する工程と、を備えたことを特徴とする移動型止水蓋の設置方法である。
【０００８】
本発明は、前記蓋本体に作業者が通る開口が設けられ、この開口は蓋板により覆われることを特徴とする移動型止水蓋の設置方法である。
【０００９】
本発明は、前記外周シールはシール押えにより保持され、前記シール押えをボルト締めすることにより前記外周シールを押圧して外方へ拡げ、前記受け側配管または前記差し込み側配管の内周面に密着させることを特徴とする移動型止水蓋の設置方法である。
【発明の効果】
【００１０】
以上のように本発明によれば、既設配管の設置場所周囲に立坑を掘ることなく、容易に移動型止水蓋を設置場所まで移動させ、この設置場所において移動型止水蓋を確実に設置することができる。
【図面の簡単な説明】
【００１１】
【図１】図１は既設配管に設置された移動型止水蓋を示す図。
【図２】図２は移動型止水蓋を示す正面図。
【図３】図３は設置前の移動型止水蓋を示す斜視図。
【図４】図４は設置後の移動型止水蓋を蓋板方向からみた斜視図。
【図５】図５は設置後の移動型止水蓋を蓋板と反対側からみた斜視図。
【図６】図６は外周シールの取付構造を示す概略図。
【図７】図７は埋設された既設配管を示す概略図。
【図８】図８はジャッキボルトを示す拡大図。
【発明を実施するための形態】
【００１２】
以下図面を参照して本発明の実施の形態について説明する。
【００１３】
図１乃至図８は本発明の実施の形態を示す図である。
【００１４】
ここで図１は既設配管に設置された移動型止水蓋を示す図であり、図２は移動型止水蓋を示す正面図であり、図３は設置前の移動型止水蓋を示す斜視図であり、図４は設置後の移動型止水蓋を蓋板方向からみた斜視図であり、図５は設置後の移動型止水蓋を蓋板と反対側からみた斜視図であり、図６は外周シールの取付構造を示す拡大図であり、図７は埋設された既設配管を示す概略図である。また、図８はジャッキボルトを示す拡大図である。
【００１５】
図１および図７に示すように、水道管等の既設配管１Ａが地中に埋設されており、この既設配管１Ａについて配管の交換工事または補修工事が行われる。
【００１６】
この場合、配管の交換工事または補修工事を行う工事場所近傍に立坑７が掘られ、この立坑７を利用して配管の交換工事または補修工事が行われる。また既設マンホール５内の既設配管１Ａにも既設バルブ６が設置されている。そしてこの既設バルブ６も工事期間中は閉じられる。
【００１７】
このように既設バルブ６を閉じることにより、既設配管１Ａの工事場所に水が進入しないようになっている。
【００１８】
また、立坑を設置して仮栓を設けることも考えられているが、他の埋設物が輻輳した場合、立坑が設置できない。このため既設バルブ６と工事場所、すなわち立坑７との間に追加の蓋を設ける必要がある。
【００１９】
一般には追加の蓋を設けるために既設配管１Ａ近傍に更なる既設マンホール５Ａが必要と考えられるが、本実施の形態によれば、このような既設マンホール５Ａを設けることなく、既設バルブ６と工事場所（立坑７）との間に移動型止水蓋１０を設けることができる。
【００２０】
次に移動型止水蓋１０について述べる。
【００２１】
移動型止水蓋１０は既設配管１Ａのうち、所定の設置場所Ａに設置される。
【００２２】
すなわち既設配管１Ａは受け部１ａを有する受け側配管１と、受け側配管１の受け部１ａに差し込まれる差し込み側配管２とを有し、この受け側配管１と差し込み側配管２との間の設置場所Ａに移動型止水蓋１０が設置される。
【００２３】
次に移動型止水蓋１０の構造について更に述べる。図１および図２に示すように、移動型止水蓋１０は開口１１ｂを有する円筒体１１ａが取付けられた円板状の止水蓋本体１１と、止水蓋本体１１の表面および裏面に設けられた複数のキャスタ１３とを有している。このうち複数のキャスタ１３は止水蓋本体１１の表面（図１の左側の面）および裏面（図１の右側の面）に４個ずつ合計８個設けられ、これらのキャスタ１３は止水蓋本体１１の表面および裏面の上方部および下方部に２個ずつ配置されている。
【００２４】
また円板状の止水蓋本体１１は上述のように開口１１ｂが形成された円筒体１１ａを有している。また円筒体１１ａの端部（図１の左側端部）にはフランジ１１ｄが溶接により取付けられており、このフランジ１１ｄに蓋板１２が締付ボルト１６を締付けることによって固定されている。
【００２５】
また止水蓋本体１１の表面および裏面にはその左右側方部および上方部、下方部に、各々２つずつ合計１６個のセンタ出し用ジャッキボルト１９が設けられている。
【００２６】
さらに移動型止水蓋１０の止水蓋本体１１の裏面には円筒体１１ａから半径方向外方へ延びる複数、例えば８枚の補強板１１ｃが設けられている。また補強板１１ｃの半径方向外側に外側円筒体１１ｅが取付けられている。
【００２７】
さらにまた、止水蓋本体１１の表面外周に、複数、例えば１６枚の爪１５が設けられている。この爪１５は受け側配管１と差し込み側配管２との間に形成された隙間Ｂと係合して、移動型止水蓋１０を受け側配管１と差し込み側配管２との間の設置場所Ａに堅固に固定するものである。
【００２８】
さらに、移動型止水蓋１０の外周に、リング状の外周シール２１が設けられている。この場合、移動型止水蓋１０の外側円筒体１１ｅの端部（図６の右側端部）にリング状の固定板２０が溶接により接合され、この固定板２０にリング状の押え板２５が取付ボルト２５ａにより取付けられている。そして押え板２５には押圧ボルト２６が設けられ、この押圧ボルト２６は外側円筒体１１ｅの半径方向外方に配置された押しリング２２を押圧する。
【００２９】
他方、止水蓋本体１１の裏面側外周にはバックアップリング２８が溶接により取付けられている。そして外側円筒体１１ｅの外周であって、バックアップリング２８と押しリング２２との間の空間には、外周シール２１が配置されている。リング状の外周シール２１は図６の右側が２つ割したリング状のＵパッキン２１ａと、このＵパッキン２１ａの２つ割部分に嵌合するＯリング２１ｂとを有し、押え板２５に設けられた押圧ボルト２６を締付けることによりＵパッキン２１ａが拡げられ、このＵパッキン２１ａが受け側配管１の内面に押圧される。このようにして受け側配管１と移動型止水蓋１０との間を密封することができる。
【００３０】
ところで、受け側配管１と差し込み側配管２とは、差し込み側配管２を受け側配管１の受け部１ａ内に差し込むことにより連結される。そして受け部１ａ内に配管シール２５Ａを挿着し、受け部１ａ先端のフランジ１ｂにボルト４により取付けられた押しリング３により配管シール２５Ａを押圧することにより、受け側配管１と差し込み側配管２との間の密封性を図っている。
【００３１】
次にこのような構成からなる移動型止水蓋を設置する移動型止水蓋の設置方法について説明する。
【００３２】
図７に示すように、立坑７近傍の工事場所において、既設配管１Ａを新設配管１Ｂに交換する交換工事が行われる。このため事前に既設バルブ６を閉とする。さらに立坑７近傍の工事場所と既設バルブ６との間に移動型止水蓋１０を設置する。図７において、工事始点が示されている。
【００３３】
まず上述した移動型止水蓋１０を作製する。この場合、取付ボルト２５ａが取外されており、固定板２０から押え板２５および押しリング２２とともにリング状の外周シール２１も外側円筒体１１ｅの外周から取外されている。また止水蓋本体１１には未だ爪１５は取付けられておらず、また円筒体１１ａから蓋板１２は取外されている。
【００３４】
次にこのように外周シール２１が予め取外され、かつ爪１５および蓋板１２を持たない移動型止水蓋１０が立坑７から既設配管１Ａ内に配置される（図７参照）。
【００３５】
次に既設配管１Ａ内に配置された移動型止水蓋１０は、図７に示すように作業者により既設配管１Ａの差し込み側配管２内を移動して、立坑７近傍から受け側配管１と差し込み側配管２との間の設置場所Ａまで送られる。
【００３６】
この間、移動型止水蓋１０は、図３に示すように合計８個のキャスタ１３を用い、このキャスタ１３を差し込み側配管２の内周面に沿って移動させることにより、設置場所Ａまで前進する。
【００３７】
このように移動型止水蓋１０はキャスタ１３を用いて差し込み側配管２の内周面に沿って移動するため、移動型止水蓋１０を差し込み側配管２の内周面に沿ってスムーズに移動させ前進させることができる。
【００３８】
次に移動型止水蓋１０が設置場所Ａに達したところで、移動型止水蓋１０を停止させる。次に止水蓋本体１１に設けられたジャッキボルト１９を用いて移動型止水蓋１０の芯出しを行う（図８参照）。
【００３９】
具体的には、まず止水蓋本体１１の下方部に設けられたジャッキボルト１９を用いて移動型止水蓋１０を設置場所Ａ内でわずかに上昇させる。次に他のジャッキボルト１９を順次調整することにより、設置場所Ａにおいて移動型止水蓋１０の芯出しを行う。
【００４０】
その後止水蓋本体１１の表面（図１の左側の面）の外周に、１６枚の爪１５を溶接により固定する。この場合、各爪１５は受け側配管１と差し込み側配管２との間に形成された隙間Ｂに係合される。このことにより、移動型止水蓋１０を設置場所Ａにおいて堅固に固定することができる。
【００４１】
すなわち、例えば既設バルブ６から水漏れが生じ既設配管１Ａの受け側配管１内に水圧が生じた場合であっても、止水蓋本体１１に取付けられた爪１５が受け側配管１と差し込み側配管２との間の隙間Ｂに係合されるため、移動型止水蓋１０に受け側配管１側から加わる水圧を隙間Ｂに係合する爪１５により受けることができる。このとき隙間Ｂに係合する爪１５に加わる力は、差し込み側配管２の端面で保持される。
【００４２】
このように止水蓋本体１１に爪１５を固定した後、作業者は移動型止水蓋１０の表面（図１の左側の面）に設けられたキャスタ１３を取外し、円筒体１１ａの開口１１ｂを通って移動型止水蓋１０の裏面（図１の右側の面）側に移動する。
【００４３】
次に作業者は移動型止水蓋１０の裏面（図１の右側の面）に設けられたキャスタ１３を取外す。
【００４４】
次に外側円筒体１１ｅの外周に、２つ割れしたＵパッキン２１ａとＵパッキン２１ａの２つ割部分に嵌合するＯリング２１ｂとを有する外周シール２１を装着する（図６参照）。次に固定板２０に押え板２５を取付け、押圧ボルト２６を締付けることにより外周シール２１がバックアップリング２８と押しリング２２との間で押圧される。このときＵパッキン２１ａがＯリング２１ｂにより拡げられて、Ｕパッキン２１ａが受け側配管１の内面に押圧され、このようにして受け側配管１と移動型止水蓋１０との間を密封する。
【００４５】
図６において、Ｕパッキン２１ａはＯリング２１ｂにより拡げられるだけでなく、例えば受け側配管１内に水圧が加わった場合、この受け側配管１内の水圧によってもＵパッキン２１ａが拡張するためＵパッキン２１ａをより確実に受け側配管１側へ押付けることができる。
【００４６】
その後作業者は、移動型止水蓋１０の裏面（図１の右側の面）に設けられたキャスタ１３を取外し、開口１１ｂを通って再び移動型止水蓋１０の表面側に移動する。
【００４７】
次に開口１１ｂ周囲のフランジ１１ｄに蓋板１２を設置し、締付ボルト１６を締付けることにより、フランジ１１ｄに蓋板１２を固定する。
【００４８】
このようにして設置場所Ａに、移動型止水蓋１０を設置することができる（図４および図５参照）。
【００４９】
次に作業者は差し込み側配管２を通って立坑７まで戻る。
【００５０】
以上のように本実施の形態によれば、既設配管１Ａの設置場所Ａ周囲に立坑を掘ることなく、容易に移動型止水蓋１０を設置場所Ａまで移動させ、この設置場所Ａに移動型止水蓋１０を設置することができる。
【符号の説明】
【００５１】
１  受け側配管
１ａ  受け部
１Ａ  既設配管
１Ｂ  新設配管
２  差し込み側配管
３  押しリング
４  ボルト
５  既設マンホール
６  既設バルブ
７  立坑
１０  移動型止水蓋
１１  止水蓋本体
１１ａ  円筒体
１１ｂ  開口
１１ｃ  補強板
１１ｄ  フランジ
１１ｅ  外側円筒体
１２  蓋板
１３  キャスタ
１５  爪
１６  締付ボルト
１９  ジャッキボルト
２１  外周シール
２１ａ  Ｕパッキン
２１ｂ  Ｏリング
２５  押え板
２５Ａ  配管シール
【図１】
2019078010.tif 000003
【図２】
2019078010.tif 000004
【図３】
2019078010.tif 000005
【図４】
2019078010.tif 000006
【図５】
2019078010.tif 000007
【図６】
2019078010.tif 000008
【図７】
2019078010.tif 000009
【図８】
2019078010.tif 000010